(57)【要約】【課題】携帯電話を使用して簡易にメールの送信を可能とするソフトを提供することで、ソフト提供者の宣伝広告を容易に行なうプログラム提供支援システムを得る。【解決手段】携帯電話からアクセス可能なサイトからアプリケーションソフトをダウンロードさせるプログラム提供支援システムであって、前記サイトは、同一のアプリケーションソフトをダウンロードさせるために複数のソフト提供者のリンク先を表示し、いずれかのソフト提供者を選択することで当該リンク先から前記アプリケーションソフトを携帯電話側にダウンロードする一方、前記アプリケーションソフトは、携帯電話の赤外線モードを用いてメールの送信を行なうためのプログラムであり、前記プログラムがダウンロードされた携帯電話を使用して赤外線モードで他の携帯電話にメールを送信すると、受信側の携帯電話の表示メールにおいて、前記サイト又は選択したソフト提供者のリンク先が表示される。【選択図】    図１
2007102454.tif 000002
【特許請求の範囲】
【請求項１】
携帯電話からアクセス可能なサイトからアプリケーションソフトをダウンロードさせるプログラム提供支援システムであって、
前記サイトは、同一のアプリケーションソフトをダウンロードさせるために複数のソフト提供者のリンク先を表示し、いずれかのソフト提供者を選択することで当該リンク先から前記アプリケーションソフトを携帯電話側にダウンロードする一方、
前記アプリケーションソフトは、
携帯電話の赤外線モードを用いてメールの送信を行なうためのプログラムであり、
前記プログラムがダウンロードされた携帯電話を使用して赤外線モードで他の携帯電話にメールを送信すると、受信側の携帯電話の表示メールにおいて、前記サイト又は前記選択したソフト提供者のリンク先が表示される
ことを特徴とするプログラム提供支援システム。
【発明の詳細な説明】
【技術分野】
【０００１】
本発明は、携帯電話からアクセス可能なサイトからアプリケーションソフトをダウンロードさせるためのシステムに関し、商品等の販売促進用として有効なツールを提供するシステムに関する。
【背景技術】
【０００２】
携帯電話同士によるメールの送受信は、電話回線網を使用して行なわれるので、基本的には有料サービスである。また、送信元の携帯電話において送信先を特定する必要から、メールアドレスの入力や既に登録されているメールアドレスを使用する場合には登録リストからその選択が必要であった。
【発明の開示】
【発明が解決しようとする課題】
【０００３】
携帯電話によるメールの送信は種々の状況下で行なわれることが考えられ、例えば、会話の出来ない場所や、大音量で会話が通じないような場所において、近くにいる友人等へ送信する必要が生じる場合があった。
このような状況下において、従前の携帯電話による送受信では送受信毎に料金が発生するので気軽に行なうことができないという問題点があった。
また、送信相手のメールアドレスを知らなければメールを送信するこができないので、知らない人の携帯電話への送信もできなかった。
【０００４】
本発明は上記実情に鑑みてなされたもので、通信料をかけずに且つ相手側のメールアドレスを入力せずに携帯電話を使用したメールの送信を可能とするソフトを提供することで、ソフト提供者の宣伝広告を容易に行なうプログラム提供支援システムを得ることを目的としている。
【課題を解決するための手段】
【０００５】
上記目的を達成するため本発明は、携帯電話からアクセス可能なサイトからアプリケーションソフトをダウンロードさせるプログラム提供支援システムであって、
前記サイトは、同一のアプリケーションソフトをダウンロードさせるために複数のソフト提供者のリンク先を表示し、いずれかのソフト提供者を選択することで当該リンク先から前記アプリケーションソフトを携帯電話側にダウンロードする一方、
前記アプリケーションソフトは、
携帯電話の赤外線モードを用いてメールの送信を行なうためのプログラムであり、
前記プログラムがダウンロードされた携帯電話を使用して赤外線モードで他の携帯電話にメールを送信すると、受信側の携帯電話の表示メールにおいて、前記サイト又は前記選択したソフト提供者のリンク先が表示される
ことを特徴としている。
【発明の効果】
【０００６】
本発明によれば、携帯電話からアプリケーションソフトがダウンロードできるサイトにアクセスし、ソフト提供者のリンク先を選択して携帯電話の赤外線モードを用いてメールの送信を行なうためのプログラムをダウンロードすることにより、赤外線モードを有する携帯電話間で赤外線信号によるメールの送受信が可能となる。
【０００７】
すなわち、前記プログラムがダウンロードされた携帯電話を使用し、赤外線モードで他の携帯電話にメールを送信することができ、また、受信側の携帯電話の表示メールにおいて、前記選択したソフト提供者のリンク先が表示されるので、受信側の携帯電話においてもこのリンク先から容易に同じプログラムをダウンロードできる。
【０００８】
赤外線信号によりメールが送信できれば、赤外線ポートを有する携帯電話間においては、通信料がかかることなく送受信でき、また、送信先の携帯電話に向けて赤外線信号を照射することでメールアドレスを把握していない携帯電話に対しても（相手のメールアドレスを入力することなく）送信可能となる。
【０００９】
また、携帯電話にプログラムをダウンロードする場合には、ソフト提供者のリンク先を表示することになるので、ダウンロードを行なう者に対してソフト提供者の宣伝広告を容易に行なうことができる。
【発明を実施するための最良の形態】
【００１０】
本発明の実施の形態に係るプログラム提供支援システムの一例について、図１を参照しながら説明する。
本発明のプログラム支援システムは、赤外線照射窓及び赤外線受信窓を有する携帯電話１０と、この携帯電話１０からインターネット２０を介してアクセス可能なホームページサイト３０との間の信号の送受信により構成されている。
【００１１】
前記携帯電話１０は、赤外線信号の送信及び受信が可能な赤外線ポート１１を有する他、通常の携帯電話が有している記録部、制御部、電池部、入力部、操作部、表示部１２を具備して構成されている。赤外線ポート１１は、赤外線を使用して画像データなどを入出力できるデバイスである。
【００１２】
ホームページサイト３０は、携帯電話１０からアクセス可能なウェッブサイトであり、雑誌や宣伝で知り得たＵＲＬアドレスを入力することで携帯電話１０の表示部１２にソフト提供者選択画面１３が表示される。画面１３では、携帯電話１０の赤外線モードを用いてメールの送受信を行なうためのプログラムがダウンロードできるサイトであることを明示する表示３１とともに、複数のリンク先３２のアドレスが表示されている。これらのアドレスは、プログラムのダウンロードサービスを行なうソフト提供者（例えば、化粧品会社、自動車会社、飲料会社等）のアドレスであり、ソフト提供者の名称やハウスマーク等が表示される。
【００１３】
そして、携帯電話１０のソフト提供者選択画面１３において、好みに応じていずれかのソフト提供者を選択することで、携帯電話１０の表示部１２にリンク先のダウンロード用のダウンロード画面１４が表示され、ダウンロード窓１５をクリックすることでアプリケーションソフトを携帯電話側（携帯電話の記録部）にダウンロードする。各ソフト提供者のアプリケーションソフトは、赤外線モードを用いてメールの送信を行なうためのプログラムであり、その基本的な内容は同一のものである。
このダウンロード行為自体については無料であるが、その通信料として通常の携帯電話会社によるパケット使用量が携帯電話の使用者に課金される。
【００１４】
この際、選択されたソフト提供者は、プログラムを無料でダウロードする協賛会社として携帯電話使用者に認知されることで宣伝効果を発揮できる。
また、ダウンロード画面１４に先立ち、必要な情報（アンケート等）を入力する入力窓（図示せず）を設け、その入力をした後でなければダウンロード画面１４が表示されないようにしておけば、ソフト提供者が知りたい情報を得ることも可能である。
【００１５】
次に、上記したプログラムがダウンロードされた携帯電話１０を使用して赤外線モードによるメールの送信について説明する。
赤外線信号によるメールの送受信は、赤外線信号の性格上、送受信を行なう相互の携帯電話１０，１０´同士が１〜３ｍ程度の至近距離に位置し、遮断する構造体等がない状態での使用に限定される。
【００１６】
先ず、プログラムがダウンロードされた携帯電話（送信側の携帯電話）１０及び受信側の携帯電話１０´において、それぞれ赤外線モードに選択した後、送信側の携帯電話１０で赤外線メール送信のプログラムを起動させ、赤外線メール用の文書作成画面４１を携帯電話１０の表示部１２に表示させる。この文書作成画面４１は、上部の広告部４２、件名入力部４３、本文入力部４４、送信窓４５を表示して構成され、広告部４２には、選択したソフト提供者の名称やブランド名が表示されている。
【００１７】
次に、件名、本文を入力し、携帯電話１０の赤外線ポート１１を相手方の携帯電話１０´の赤外線ポート１１´へ向けて送信窓４５を選択することで、赤外線信号によりメールが送信され、相手方携帯電話１０´での受信完了の信号を受信する。赤外線信号によるメール送受信には、電話会社のパケット使用料が不用であるので無料である。
相手側の携帯電話１０´では、赤外線モードが選択されているので、赤外線ポート１１´で赤外線信号を受信して受信メール５１を表示部１２´に表示する。受信メールの最後尾には、前記サイト５２先（又は前記選択したソフト提供者のリンク先のアドレス等）が表示される。したがって、赤外線メールの受信を受けた携帯電話使用者が、自分も赤外線メールを送信したいと考えた場合には、サイト先５２（又はリンク先）を選択することで、上述した場合と同様に、携帯電話１０´側に赤外線信号で送信可能なプログラムをダウンロードすることが可能となる。すなわち、最後尾の表示がサイト先５２である場合には図２（ａ）のソフト提供者選択画面１３からの手続きとなり、最後尾の表示がリンク先の場合には図２（ｂ）のダウンロード画面１４からの手続きでプログラムのダウンロードを行なう。
【００１８】
赤外線信号でのメールの送受信によれば、会話が制限されている場所、大音響下で会話が不可能な場所においても、コミュニケーションを行なうツールとして利用できる。また、知らない人同士でもメールのやり取りが可能になるので、様々な使用の仕方が期待できるものである。
【００１９】
上述したプログラム提供支援システムによれば、携帯電話の赤外線モードを用いてメールの送信を行なうためのプログラムを無料でダウンロードさせるソフト提供者を携帯電話の使用者に容易に認知させるので、ソフト提供者の広告・宣伝機能を発揮させることができる。
また、赤外線信号によるメールを受信した者がメール本文の最後尾に表示されているサイト先（リンク先）からプログラムをダウンロードすることにより、ソフト提供者の広告効果を増幅させることが可能になる。
【図面の簡単な説明】
【００２０】
【図１】本発明に係るプログラム提供支援システムの概略を示すモデル図である。
【図２】（ａ）（ｂ）はプログラムのダウンロード時において携帯電話に表示される画面の一例である。
【図３】赤外線メール送信時において携帯電話に表示される画面の一例である。
【図４】赤外線メール受信時において携帯電話に表示される画面の一例である。
【符号の説明】
【００２１】
１０  携帯電話
１１  赤外線ポート
１２  表示部
１３  ソフト提供者選択画面
１４  ダウンロード画面
１５  ダウンロード窓
２０  インターネット
３０  ホームページサイト
３１  表示
３２  リンク先
４１  文書作成画面
４２  広告部
５１  受信メール
５２  サイト先
【図１】
2007102454.tif 000003
【図２】
2007102454.tif 000004
【図３】
2007102454.tif 000005
【図４】
2007102454.tif 000006